(57)【要約】  【課題】長尺の小物を簡易な動作でフィットさせた状態で収納する。  【解決手段】  ラップ型収容部４００ｂは収容部本体１０、ラップ半体１１、底部１２を含んでなる。ラップ半体１１を揺動させて、収容部本体１０を覆うように横方向に引き回し、その面ファスナ１１ａ、１１ｂを収容部本体１０の面ファスナ１０ａ、１０ｂに係合させて小物をフィットさせた状態で収納する。【選択図】  図５
2011030772.tif 000002
【特許請求の範囲】
【請求項１】
薄板部材と、
上記薄板部材の面に結合されたポケット状の第１の収容部と、
第１の半体と第２の半体とを含んで構成される第２の収容部とを有し、
上記第１の半体の一側が、上記ポケット状収容部の縦方向に沿って上記薄板部材の面に結合され、上記第２の半体から遠ざかる一面に第１の接合構造半体が取り付けられ、
上記第２の半体の一側が、上記第１の収容部の縦方向に沿って上記薄板部材の面に結合され、他側を自由に揺動可能とし、さらに上記第１の半体に近い一面に上記第１の接合構造半体と係合する第２の接合構造半体が取り付けられ、
上記第２の半体を横方向に揺動させて上記第２の半体の一部を上記第１の半体の一部に重ねた状態で上記第１の接合構造半体および上記第２の接合構造半体を係合させることを特徴とする小物収容具。
【請求項２】
上記第１の接合構造半体および第２の接合構造半体は面ファスナである請求項１記載の小物収容具。
【請求項３】
上記第１の接合構造半体および上記第２の接合構造半体は２組以上設けられる請求項１または２記載の小物収容具。
【請求項４】
上記第２の半体は、上記第２の接合構造半体の上記縦方向の位置で、舌片状に延長される請求項１〜３のいずれかに記載の小物収容具。
【請求項５】
上記第２の収容部は、上記薄板部材と上記第１の半体とそれぞれ対応する一部で結合された底部材を有する請求項１〜４のいずれかに記載の小物収容具。
【請求項６】
薄板部材と、
第１の半体と第２の半体とを含んで構成される収容部とを有し、
上記第１の半体の一側が、上記薄板部材の垂直方向に対して角度をなす所定の方向に沿って上記薄板部材の面に結合され、上記第２の半体から遠ざかる一面に第１の接合構造半体が取り付けられ、
上記第２の半体の一側が、上記所定の方向に沿って上記薄板部材の面に結合され、他側を自由に揺動可能とし、さらに上記第１の半体に近い一面に上記第１の接合構造半体と係合する第２の接合構造半体が取り付けられ、
上記第２の半体を上記所定の方向に対して直角な方向に揺動させて上記第２の半体の一部を上記第１の半体の一部に重ねた状態で上記第１の接合構造半体および上記第２の接合構造半体を係合させることを特徴とする小物収容具。
【発明の詳細な説明】
【技術分野】
【０００１】
この発明は、筆記具・携帯電話・印鑑・手帳・カードなどの小物の収納に適した書類入れカバン、女性用バッグ、リュックサック等のカバン類の中仕切、その他、カバン類への収容に適した小物収容具に関し、とくに、横方向または斜め方向に覆うという簡易な作業により小物をフィットさせた状態で収容できるようにしたものである。
【背景技術】
【０００２】
本発明者は、小物収容部を設けた中仕切（小物収容具）を提案している（特許文献１、特許文献２、特許文献３）。ビジネスマンが業務上用いる一般的なカバンには、書類用中仕切、３本分程度のペン差し、１個分の携帯用ポケット程度しか設けられていないので、かかる小物収容部付きの中仕切を補助的に用いることにより、多くの小物を整理して収容可能になり、大変便利である。
【０００３】
ところで、このような中仕切（小物収容具）は、カバン等に収容されるという性質上、掌をカバン等に挿入しまたは引き出すという上下の基本動作で小物の収容、取り出しが行われる。そのため、収容部の基本的な構造はポケット状であり、適宜に上端の開口部に蓋が設けられる。しかしながら、長尺の小物、例えば、ペットボトルや折り畳み傘を収容する場合には、それに応じた大きさのポケットを用いても、収容サイズとの関係で、ガタツキが生じやすく、使用勝手が悪い。また、ペットボトルや折り畳み傘等の長尺の小物のサイズごとに専用のポケットを設けるのは収納面が限定されるので効率的ではない。
【先行技術文献】
【特許文献】
【０００４】
【特許文献１】特開２００４−３１３２７３公報
【特許文献２】特開２００６−１５０２７公報
【特許文献３】特開２００６−３１１９２６公報
【発明の概要】
【発明が解決しようとする課題】
【０００５】
この発明は、以上の事情を考慮してなされたものであり、長尺の小物を簡易な動作でフィットさせた状態で収納可能な小物収容具を提供することを目的としている。
【０００６】
【課題を解決するための手段】
【０００７】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００８】
すなわち、この発明によれば、上述の目的を達成するために、小物収容具に：薄板部材と；上記薄板部材の面に結合されたポケット状の第１の収容部と；第１の半体と第２の半体とを含んで構成される第２の収容部とを設け、上記第１の半体の一側が、上記第１の収容部の縦方向に沿って上記薄板部材の面に結合され、上記第２の半体から遠ざかる一面に第１の接合構造半体が取り付けられ、上記第２の半体の一側が、上記第１の収容部の縦方向に沿って上記薄板部材の面に結合され、他側を自由に揺動可能とし、さらに上記第１の半体に近い一面に上記第１の接合構造半体と係合する第２の接合構造半体が取り付けられ、上記第２の半体を横方向に揺動させて上記第２の半体の一部を上記第１の半体の一部に重ねた状態で上記第１の接合構造半体および上記第２の接合構造半体を係合させるようにしている。
【０００９】
小物収容具は、筆記具・携帯電話・印鑑・手帳・カードなどの小物を収納する小物収容部を具備する中仕切、板部材等である。主にカバンに収納して用いられるが、単に、机上に立てかけて小物を収納するのに用いたり、種々の用途に用いることもできる。小物収容部は基本的には小物収容具に固定して取り付けられているが、場合によっては、面ファスナ等を用いて着脱可能にしてもよい。
【００１０】
薄板部材は、典型的には、矩形形状であり、カバン等への収容に適した大きさとなっている。もちろん、矩形に限らず種々の形状に構成できる。薄板部材は、典型的には芯部材とカバーとからなるが、芯部材のみから構成しても良い。芯部材は例えばポリエチレン、ポリプロピレンのような樹脂製であるが、これに限定されない。カバーは、例えば、布製、革製であるが、これに限定されない。
【００１１】
この構成によれば、長尺の小物を簡易な動作でフィットさせた状態で収納することができる。
【００１２】
この構成において、第１の接合構造半体および第２の接合構造半体は、典型的には面ファスナであるが、これに限定されず、バンド、フック、磁石、スライド等、接合位置関係が調整可能な任意の接合構造を採用できる。
【００１３】
また、上記第１の接合構造半体および上記第２の接合構造半体は２組以上設けられてよい。
【００１４】
また、上記第２の半体は、上記第２の接合構造半体の上記縦方向の位置で、舌片状に延長されるようにして良い。舌片状の部分を摘んで第２の半体を操作できる。
【００１５】
また、上記第２の収容部は、上記薄板部材と上記第１の半体とそれぞれ対応する一部で結合された底部材を有してよい。
【００１６】
また、この発明の他の側面によれば、小物収納具に：薄板部材と；第１の半体と第２の半体とを含んで構成される収容部とを設け、上記第１の半体の一側が、上記薄板部材の垂直方向に対して角度をなす所定の方向に沿って上記薄板部材の面に結合され、上記第２の半体から遠ざかる一面に第１の接合構造半体が取り付けられ、上記第２の半体の一側が、上記所定の方向に沿って上記薄板部材の面に結合され、他側を自由に揺動可能とし、さらに上記第１の半体に近い一面に上記第１の接合構造半体と係合する第２の接合構造半体が取り付けられ、上記第２の半体を上記所定の方向に対して直角な方向に揺動させて上記第２の半体の一部を上記第１の半体の一部に重ねた状態で上記第１の接合構造半体および上記第２の接合構造半体を係合させるようになっている。
【００１７】
この構成によれば、長尺の小物を簡易な動作でフィットさせた状態で収納することができる。
【００１８】
この発明の上述の側面およびこの発明の他の側面は特許請求の範囲に記載され、以下、実施例を用いて詳細に説明される。
【発明の効果】
【００１９】
この発明によれば、長尺の小物を簡易な動作でフィットさせた状態で収納することが可能となる。
【図面の簡単な説明】
【００２０】
【図１】この発明の実施例の小物収容具の各パネルの裏面（非収容面）を示す図である。
【図２】上述の各パネルの表面（収容面）を示す図である。
【図３】上述実施例のラップ型収容部の構成部品の例を説明する図である。
【図４】上述実施例のラップ型収容部の収納態様を説明する図である。
【図５】上述実施例のラップ型収容部の収納態様を説明する図である。
【図６】上述実施例のラップ型収容部の収納態様を説明する図である。
【図７】上述実施例のラップ型収容部の小物の収納位置を説明する図である。
【図８】上述実施例のラップ型収容部の構成部品の他の例を説明する図である。
【図９】図８の構成部品から成るラップ型収容部の収納態様を説明する図である。
【図１０】上述実施例のラップ型収容部の構成部品のさらに他の例を説明する図である。
【図１１】上述実施例の各パネルの耳部の折り曲げ態様を説明する図である。
【図１２】上述実施例のパネルの組立態様の例を説明する図である。
【図１３】図１２の例で組み立てた小物収容具を説明する図である。
【図１４】上述実施例のパネルの組立態様の他の例を説明する図である。
【図１５】他の実施例の小物収容部を説明する図である。
【図１６】さらに他の実施例の小物収納具を説明する図である。
【発明を実施するための形態】
【００２１】
以下、この発明の実施例について説明する。
【００２２】
図１は、実施例の小物収容具１００（図１３参照）を構成する第１パネル２００および第２パネル３００を示しており、以下では図１に示される面を便宜上裏面と呼ぶことにする。図２は、第１パネル２００および第２パネル３００の表面を示している。
【００２３】
図１および図２において、第１パネル２００および第２パネル３００はポリエチレン、ポリプロピレン等からなる基材に布、皮革、樹脂等から成るカバーを被着したものである。もちろん、基材のみから構成しても良いし、材料も種々のものを採用できる。基材の厚さは例えば約１．０〜１．５ｍｍである。
【００２４】
第１パネル２００および第２パネル３００はそれぞれ本体２０１、３０１と耳部（一側ともいう）２０２、３０２、止め紐２０３、２０４、３０３、３０４等を含んで構成される。また第１パネル２００にはＰＣ補足用の止め紐２０５、２０６が本体２０１の端部２０１ａ、２０１ｂに取り付けられている。その自由端２０５ａ、２０６ａには面ファスナ（フック片。雄）２０５ｂおよび面ファスナ（ループ片。雌）２０６ｂが設けられている。なお、面ファスナ２０５ｂは破線で示されているが、この破線は面ファスナが裏側に設けられていて隠れていることを意味する。他の破線も同様の場合がある。
【００２５】
第１パネル２００の本体２０１および第２パネル３００の本体３０１は例えば縦×横が２５０ｍｍ×３５０ｍｍの矩形となっているが、これに限定されない。サイズがこれよりも大きくても良いし、小さくても良い。また、全体の形状も矩形に限らず、また基本的には矩形であってもその一部や角をきり欠いたものでもよく、また大小の孔部が設けられていてもよい。
【００２６】
第１パネル２００の耳部２０２は例えば４５ｍｍ×３５０ｍｍの矩形であり、実質的には本体２０１と一体に形成され、本体２０１と耳部２０２との間の境界線位置で屈曲加工（溝加工、破線上の穿孔加工等）が施されている。本体２０１と耳部２０２とを別体に構成して柔軟性のある布、樹脂等のテープ部材で連結しても良い。耳部２０２は図１１にａ、ｂに示すように本体２０１に対して折り曲げることができる。耳部２０２は両面に面ファスナ（ループ片。雌）２０２ａ、２０２ｂが形成されている。
【００２７】
第２パネル３００の耳部３０２は例えば６０ｍｍ×３５０ｍｍの矩形であり、実質的には本体３０１と一体に形成され、本体３０１と耳部３０２との間の境界線位置で屈曲加工（溝加工、破線上の穿孔加工等）が施されている。本体３０１と耳部３０２とを別体に構成して柔軟性のある布、樹脂等のテープ部材で連結しても良い。耳部３０２は図１１にｃ、ｄに示すように本体３０１に対して折り曲げることができる。耳部３０２は裏面に面ファスナ（フック片。雄）３０２ａが形成されている。
【００２８】
第１パネル２００の止め紐２０３、２０４は第２パネル３００の止め紐３０３、３０４と係合するためのものであり、それぞれの両面に面ファスナ（ループ片。雌）２０３ａ、２０３ｂ、２０４ａ、２０４ｂが設けられている。第２パネル３００の止め紐３０３、３０４の裏面には対応する面ファスナ３０３ａ、３０４ａが設けられている。
【００２９】
第１パネル２００および第２パネル３００の表面（図２）には小物収容部４００が複数取り付けられている。小物収容部４００は、例えば、ペン差し、クリップ部のないボールペン等に用いるペン受け、カードホルダー、オープンポケット、フラップポケット、メッシュポケット、ゴムバンド等であるが、これに限定されない。第２パネル３００の裏面（図１）にはほぼ全面に渡って収容部４００（メッシュポケット）が設けられている。
【００３０】
第１パネル２００および第２パネル３００の上辺には図１に破線で示すように把手を設けても良い。
【００３１】
図１および図２に示す例では、収容部４００は種々のタイプのポケット型の収容部４００ａを含み、さらに第２パネル３００の表面（図２）の左側にポケット型の収容部４００ａとタイプを異にするラップ型（被覆型）の収容部４００ｂを有する。ポケット型の収容部４００ａは上方に開口を有し、その開口から小物を出し入れするようになっている。ポケット型の収容部４００ａは、典型的にはナイロン（商標）布製であり、またグレーで別様に示すメッシュ製であってもよい。フラップ型または矩形の蓋を伴っても良い。あるいは、開口にゴムバンドを含んでもよい。ラップ型の収容部４００ｂは、図６に最も良く示されるように本体１０をラップ半体１１を横方向に覆うようにして小物を収容するものであり、その詳細は後に説明する。
【００３２】
また、この実施例の小物収容具１００は図１３に示すようなクッション５００を有している。クッション５００のサイズは８０ｍｍ×３５０ｍｍであり、厚さは１５ｍｍである。クッション５００は、例えば、樹脂製のスポンジ基体に布を被着して形成されており、ユーザが任意の形状寸法に裁断できる。もちろん、場合に応じて、クッション５００を用いなくても良い。
【００３３】
図１１は、第１パネル２００および第２パネル３００の種々の屈曲形態を示しており、本体２０１、３０１に対して耳部２０２、３０２を矢印ａ、ｂ、ｃ、ｄに示すように折り曲げることにより後に説明するように種々の組立態様を実現できる。
【００３４】
図１２は、第１の組立態様を説明している。基本的には、４つの組立態様があるけれども、その組立態様を採用しても良い。
【００３５】
図１２においては、第１パネル２００の耳部２０２を矢印ｂ（図１１）に示すように折り曲げ、第２パネル３００の耳部３０２を矢印ｃに示すように折り曲げたものである。このような状態で図１３に示すように、第２パネル３００の耳部３０２が第１パネル２００の耳部２０２の上に重なるように配置し、耳部２０２の面ファスナ２０２ａと耳部３０２の面ファスナ３０２ａとの係合により第１パネル２００と第２パネル３００とを結合する。この場合、面ファスナ２０２ａと面ファスナ３０２ａとの係合位置をずらすことにより第１パネル２００の本体２０１と第２パネル３００の本体３０１との間の対向距離Ｄを加減できる。例えば、（ａ）ではやや厚みのある携帯端末（ノートブックＰＣ）６００ａを丁度収容できるように対向距離Ｄを加減し、（ｂ）ではやや薄手の携帯端末６００ｂを丁度収容できるように対向距離Ｄを短くして適合化させることができる。
【００３６】
なお第１パネル２００の止め紐２０３、２０４の面ファスナ２０３ｂ、２０４ｂを第２パネル３００の止め紐３０３、３０４の面ファスナ３０３ａ、３０４ａに係合させて、小物収容具１００を閉じた状態に保持できる。また、ＰＣ補足用止め紐２０５および２０６の面ファスナ２０５ｂ、２０６ｂを用いて収容状態の携帯端末を保持することができる。また、小物収容具１００がカバン７００（図１３）等の中に配置される場合には、カバン自体で携帯端末が保持されるので止め紐２０５、２０６を用いなくても良い。
【００３７】
なお、図１２および図１３の例では、第１パネル２００の表面（小物収容面）が外を向き、第２パネル３００の裏面（非小物収容面）が外を向いている。小物収容面が内側側壁を構成しているときには携帯端末と側壁との間に若干の余裕があることが好ましい。
【００３８】
図１４の例は、第１パネル２００の耳部２０２を図１１の矢印ｂ方向に曲げ、第２パネル３００の耳部３０２を図４の矢印ｄ方向に曲げたものである。この場合は、第１パネル２００および第２パネル３００の表面（小物収納面）を小物収容具１００の外面に配置したものである。
【００３９】
このように、第１パネル２００の耳部２０２および第２パネル３００の耳部３０２の折り曲げ方向に応じて種々の収容形態を採用できる。この収容形態は、固定的なものではなく、面ファスナの着脱により容易に変更できる。
【００４０】
つぎに、ラップ型収容部４００ｂについて詳細に説明する。
【００４１】
ラップ型収容部４００ｂは、図３の分解図に示すように、収容部本体１０、ラップ半体１１、および底部１２を含んで構成される。これら部品は典型的にはナイロン（商標）布から製造されるが、以降で説明されるように、ラップ（被覆）態様で収納が可能な範囲でどのような材料を用いても良い。
【００４２】
収容部本体１０は縦方向の長さが約１８０ｍｍ、右側が屈曲形状であるので、その幅は一様でないが、その平均は約１００ｍｍである。本体１０の表面（図３の紙面手前側の面。図６の収納状態で外側の面）には面ファスナ（ループ片。雌）１０ａおよび１０ｂが縫い付けられている。面ファスナ１０ａのサイズは例えば２０ｍｍ×５５ｍｍ（縦×横）であり、本体１０の上端から例えが４０ｍｍの位置にその中央線が位置するようになっている。面ファスナ１０ｂのサイズは例えば２０ｍｍ×４５ｍｍ（縦×横）であり、本体１０の下端から例えば４０ｍｍの位置にその中央線が位置するようになっている。収容部本体１０は破線で示す縫い付け線１０ｄに沿って第２パネル３００の本体３０１に縫い付けられる。縫い付け方向は第２パネル３００の本体３０１の上下方向（縦方向）である。
【００４３】
ラップ半体１１は縦方向の長さが約１８０ｍｍ、左側が屈曲形状であるので、その幅は一様でないが、その平均は約９０ｍｍである。ラップ半体１１の裏面（図３の紙面裏側の面。図６の収納状態で内側の面）には面ファスナ（フック片。雄）１１ａおよび１１ｂが縫い付けられている。面ファスナ１１ａのサイズは例えば２０ｍｍ×２０ｍｍであり、ラップ半体１１の上端から例えが４０ｍｍの位置にその中央線が位置するようになっている。面ファスナ１１ｂのサイズも例えば２０ｍｍ×２０ｍｍであり、ラップ半体１１の下端から例えば４０ｍｍの位置にその中央線が位置するようになっている。ラップ半体１１は破線で示す縫い付け線１１ｃに沿って第２パネル３００の本体３０１に縫い付けられる。縫い付け方向は第２パネル３００の本体３０１の上下方向（縦方向）すなわちポケット型収容部４００ａの縦方向である。
【００４４】
底部１２は、例えば４０ｍｍ×５５ｍｍの矩形形状であり、破線で示す縫い付け線１２ａに沿って第２パネル３００の本体３０１に縫い付けられる。また、底部１２は、二点鎖線で示す縫い付け線１２ｂ、１２ｃに沿って、収容部本体１０の縫い付け線１０ｅに縫い付けられる。
【００４５】
図４は、ラップ型収容部４００ｂが第２パネル３００の本体３０１に組付けられた状態を示しており、この図では、ラップ半体１１が開放状態になっている。このラップ型収容部４００ｂは長尺の小物、例えば、これに限定されないが、折り畳み傘、ペットボトル等を収納するのに適している。長尺の小物８００（図７）を収納するには、図４の開放状態のラップ型収容部４００ｂに図７に示すように長尺の小物８００を、縦方向、横方向または、斜めの方向から、その下端が典型的には底部１２に当たるように配置し、その後、図４および図７の矢印Ａ１、図５の矢印Ａ２に示すように、ラップ半体１１を揺動させていく。典型的には、ラップ半体１１が小物８００を締めつけるようにラップ半体１１の先端を引き、ラップ半体１１の面ファスナ１１ａ、１１ｂを収容部本体１０の面ファスナ１０ａ、１０ｂにそれぞれ係合させる。このようにしてラップ型収容部４００ｂは小物を締めつけた状態で収納する（図６参照）。ラップ半体１１を横方向に移動させるだけで、小物をフィットさせた状態でラップ型収容部４００ｂに収納できる。なお、どの程度、ラップ半体１１の先端を引き上げるかは、任意であり、収納時にガタツキがあっても良い場合には、ラップ半体１１の先端を引いて締めつけ状態にする必要はない。
【００４６】
また、面ファスナ１０ｂ、１１ｂのみを係合させて、ラップ半体１１の上端をフリーにしてもよい。逆に、面ファスナ１０ａ、１１ａのみを係合させてもよい。長尺の小物の太さが一様でない場合には、上方のみ、または下方のみの係合を行うようにしても良い。また、小物が長尺でない場合には、下方の係合のみ利用する方が取り出しが容易になる。
【００４７】
ラップ型収容部４００ｂは図３の例に限定されず、種々の態様で構成可能である。例えば、面ファスナは２組でなく、１組でも、３組以上であってもよい。面ファスナ以外の接合構造体は、例えば、磁石、バンド、ボタン等、種々の構造を採用できる。また、底部１２を省略しても良い。
【００４８】
図８および図９は、他の例のラップ型収容部４００ｂを示しており、この例では、収容部本体１０を矩形の形状としている。この例では図９に最も良く示されるように、収容部本体１０の前面の側壁を切り欠いて開放状態としている。破線で示すように前面の一部を残しても良い。この構成では、小物が前面の側壁に干渉しないので、その出し入れがスムーズになる。
【００４９】
図１０は、さらに他の例のラップ型収容部４００ｂを示しており、この例では一体のラップ半体１１の代わりに、２つの短冊状のラップ半体１４、１５を設けている。このラップ半体１４、１５は縫い付け線１４ｂ、１５ｂに沿って第２パネル３００の本体３０１に縫い付けられる。ラップ半体１４、１５にはそれぞれ面ファスナ（フック片、雄）１４ａ、１５ａが設けられ、収容部本体１０の面ファスナ１０ａ、１０ｂとそれぞれ係合してラップ状態で小物を収納する。短冊状のラップ半体は１つでもよいし、３つ以上であっても良い。
【００５０】
なお、上述の例では、小物収納具１００は２つのパネル２００、３００を含むけれども、図１５に示すように、１つのパネルから小物収納具１００を構成しても良い。
【００５１】
図１５はパネル上の小物収容具１００の少なくとも一方の面に収容部４００を設けている。図１５の例では、小物収容部４００として、８本のペン差し（直径１１ｍｍ、１２ｍｍ、１３ｍｍ、１６ｍｍ。Ａで示す）、クリップ分のないボールペン等に用いるペン受け（Ｂで示す）、カードホルダー（Ｃで示す）、オープンポケット（Ｄで示す）、フラップポケット（Ｅで示す）、メッシュポケット（ゴムとメッシュからなるポケット。Ｆで示す）、ラップ型収容部４００ｂを採用している。ラップ型収容部４００ｂは図２に示すものと同様である。ラップ型収容部４００ｂは複数個あってもよい。また、図１６に示すように、ラップ型収容部４００ｂを斜めに取り付けても良い。すなわち、ラップ型収容部４００ｂの長さ方向が小物収容具１００の垂直方向（ポケット型収容部の縦方向）に対して角度αを持つようにする。この場合にも、ラップ型半体を横方向（斜め方向）に揺動させて、小物をフィットした状態で収容することができる。
【符号の説明】
【００５２】
１０    収容部本体
１０ａ、１０ｂ    面ファスナ（ループ片）
１１    ラップ半体
１１ａ、１１ｂ    面ファスナ（フック片）
１２    底部
１００    小物収容具
２００    第１パネル
３００    第２パネル
４００    小物収容部
４００ａ    ポケット型小物収容部
４００ｂ    ラップ型小物収容部
５００    クッション
７００    カバン
８００    長尺の小物
【図１】
2011030772.tif 000003
【図２】
2011030772.tif 000004
【図３】
2011030772.tif 000005
【図４】
2011030772.tif 000006
【図５】
2011030772.tif 000007
【図６】
2011030772.tif 000008
【図７】
2011030772.tif 000009
【図８】
2011030772.tif 000010
【図９】
2011030772.tif 000011
【図１０】
2011030772.tif 000012
【図１１】
2011030772.tif 000013
【図１２】
2011030772.tif 000014
【図１３】
2011030772.tif 000015
【図１４】
2011030772.tif 000016
【図１５】
2011030772.tif 000017
【図１６】
2011030772.tif 000018